(57)【要約】      （修正有）【課題】現金収納用袋を、広告媒体として活用できながら、必要に応じて容易に書簡用（郵便用）の封筒として利用出来るようにすること。【解決手段】封筒本体１の開口部２に設けられたフラップ３の上縁３ａに、切り離し容易にミシン目４を介して連続して設けられた広告用表示片３Ａ又は広告用チケット片が備えられ、封筒本体１の要部に、郵便番号表示部５が設けられている現金収納用袋。【選択図】図６
0003112624.tif 000002
【実用新案登録請求の範囲】
【請求項１】
小型現金収納用封筒であって、
封筒本体１の開口部２に設けられたフラップ３の上縁３ａに連続して広告用表示片３Ａ又は広告用チケット片３Ｂが備えられ、
前記封筒本体１の要部に、郵便番号表示部５が設けられている、
小型現金収納用封筒。
【請求項２】
前記広告用表示片３Ａ又は広告用チケット片３Ｂの幅が前記封筒本体１の開口部２の幅よりも小さく構成され、前記フラップ３の折り曲げによる開口部２の閉じに際して前記広告用表示片３Ａ又は広告用チケット片３Ｂが封筒内に挿入できるように構成されている、
請求項１の小型現金収納用封筒。
【請求項３】
前記封筒本体１の開口部２に設けられたフラップ３の上縁３ａと前記広告用表示片３Ａ又は広告用チケット片３Ｂとの間に、切り離し容易にミシン目４が設けられている、
請求項１の小型現金収納用封筒。
【請求項４】
前記広告用表示片３Ａ又は広告用チケット片３Ｂにカレンダーが印刷されている、
【請求項５】
前記広告用表示片３Ａ又は広告用チケット片３に、掲示用部３Ｃが設けられている、
請求項１乃至請求項４の何れか１項に記載の小型現金収納用封筒。
【考案の詳細な説明】
【技術分野】
【０００１】  本考案は、銀行、郵便局等の窓口、ＡＴＭ設置店で配布され、現金を収納するのに専ら用いられている小型現金収納用用封筒の改良に関する。
【背景技術】
【０００２】  一般に、銀行、郵便局等では、出勤した現金を収納するのに、小型の現金封筒が準備されており、ＡＴＭ設置店でも設置されていて、利用者は、出金した現金をこれに収納している。【０００３】  こうした現金封筒は、利用者（預金者）の便宜を図るために銀行がサービとして準備しているもので、銀行にとっては、これに要する経費が多大のものとなって、負担となっている。
そして、この種の現金封筒は、通常、銀行名等の印刷がなされており、為に、現金収納袋としてのみ用いられてきた。【０００４】  尚、現金収納袋として、次のものが提案されている。
【特許文献１】特開２００３−２９１９７９。これは、現金収納袋に被覆片を設け、これにメッセージ欄を設けている。
【特許文献２】特開２００４−２１７２９９．これは、封筒に複数のフラップを設けて収納現金の抜け落ちを防止している。
【考案の開示】
【考案が解決しようとする課題】
【０００５】  上述したように、現金封筒は、通常、銀行等のコスト負担により準備されるものであるが故に銀行の名前、イラスト等が印刷されており、為に、現金使用後に、その他の目的、例えば、殆ど寸法形状が同じである書簡用の封筒として用いられることはなく、精々伝票仕分け、メモ用袋程度として利用されるに止まるものであった。【０００６】  本考案者は、かかる現状に鑑み、また、銀行等のユーザーから現金袋の有効利用方法を求められてきたが、この現金袋を広告媒体として用いることが出来れば、そのスポンサーからの費用により現金袋のコストが得られるのではないかと考え、合わせて、これを書簡封筒としても用いることが出れば、更に、現金袋の有効利用が可能になるのではないかと考えた。【０００７】  本考案はかかる問題点に鑑み、現金収納用袋を、広告媒体として活用できながら、必要に応じて容易に書簡用（郵便用）の封筒として利用出来るようにすることを目的とする。
【課題を解決するための手段】
【０００８】  本考案にかかる小型現金収納用封筒は、上記目的を達成するために、
小型現金収納用封筒であって、
封筒本体１の開口部２に設けられたフラップ３の上縁３ａに連続して広告用表示片３Ａ又は広告用チケット片３Ｂが備えられ、
前記封筒本体１の要部に、郵便番号表示部５が設けられている、
という手段を講じたものである。
【考案の効果】
【０００９】  本考案によれば、銀行窓口、郵便局、ＡＴＭ設置所において配布の現金収納用袋を、広告、情報媒体として、或いは、商品、サービス提供、割引券等のチケットとして活用出来ながら、必要に応じて郵便等書簡用封筒として再利用することが出来る顕著な利点がある。
【考案を実施するための最良の形態】
【００１０】  本発明の実施において、フラップ３が広告用表示片３Ａ又は広告用チケット片３Ｂと共に、開口部２よりも幅狭に構成されて、折り曲げされる構造の場合には、現金収納の際には、フラップ３共々封筒内に挿入し、その広告用表示片３Ａ又は広告用チケット片３Ｂとして大きく形成されたフラップ全体で紙幣に対する摩擦抵抗を大きくし、以って、現金の抜け出しを十分に阻止する機能を発揮しながら、郵便等書簡用封筒として利用する場合には、この広告用表示片３Ａ又は広告用チケット片３Ｂをフラップ３に重ね折りしてから封筒の封をするようにして用いることで、広告用表示片３Ａ又は広告用チケット片３Ｂが表に出ることなく封筒として用いることが出来る。【００１１】  また、広告用表示片３Ａ又は広告用チケット片３Ｂがミシン目４で切り離し容易に構成されている場合には、郵便等書簡用封筒として利用する場合には、広告等の無い状態の通常の封筒と同様の価値で用いることが出来る。尚、この広告用表示片３Ａ又は広告用チケット片３Ｂは、必要とあれば、表裏両面を用い得ることは勿論である。【００１２】  更に、前記広告用表示片３Ａ又は広告用チケット片３Ｂの上部に、更に、少なくとも１枚の広告用表示片３Ａ又は広告用チケット片３Ｂがミシン目４を介して連続して設けられているのが好ましい。
これによって、異種の広告（異なるスポンサー、或いは異なる商品）或いは、異なる又は同種のチケットを一つの封筒に複数備えることができ、これを切り離して順次使用することが出来る。【００１３】  また、前記広告用表示片３Ａ又は広告用チケット片３Ｂにカレンダーを印刷するようにしてもよい。これによって、この封筒をカレンダー代わりに利用できると共に他の広告情報の期限等との情報の突合せが一目瞭然となる利点がある。【００１４】  更に、前記広告用表示片３Ａ又は広告用チケット片３Ｂに掲示用部３Ｃを設けることで、この広告用表示片３Ａ又は広告用チケット片３Ｂの情報が隠れることなく、その掲示用部３Ｃの場所（空白のスペース等）にピンを打って、掲示板に止めたり、或いは小型磁石によって、掲示板、冷蔵庫等の壁面に係止して、封筒をメモ、レシート入れ等の目的で使用できる利点がある。
【実施例１】
【００１５】  本考案の実施例１について、図１に基づいて以下詳述する。
図１は、小型現金収納用封筒の正面図であって、紙製（樹脂フィルム製でもよい）の封筒本体１の開口部２に設けられたフラップ３の上縁３ａに、切り離し容易にミシン目４を介して連続して設けられた広告用表示片３Ａが備えられ、前記封筒本体１の要部に、郵便番号表示部５が設けられている。この実施例では、便宜上、郵便局の広告を使用した。ここでは、広告用表示片３Ａの上縁が円弧上に形成されている。【００１６】  従って、現金袋として用いる場合には、その広告用表示片３Ａが広告の機能を発揮し、封筒として用いる場合には、前記ミシン目４で広告用表示片３Ａを切り離すことで、通常の封筒として利用することが出来る。
尚、前記広告用表示片３Ａが、広告だけでなく、例えば、商品、食事割引券等の広告用チケット片３Ｂに構成されても良い。
【実施例２】
【００１７】  この実施例２は、図２に示すように、小型現金収納用封筒の正面図であって、紙製の封筒本体１の開口部２に設けられたフラップ３の上縁３ａに、切り離し容易にミシン目４を介して連続して設けられた広告用表示片３Ａが備えられ、前記封筒本体１の要部に、郵便番号表示部５が設けられている。【００１８】  更に、前記広告用表示片３Ａの上部に、少なくとも１枚の広告用チケット片３Ｂがミシン目４を介して連続して設けられている。
従って、現金袋として用いる場合には、その広告用表示片３Ａが広告の機能を発揮し、封筒として用いる場合には、前記ミシン目４で広告用表示片３Ａを切り離すことで、通常の封筒として利用することが出来ると共に更に連続した、例えば、商品、食事割引券等の広告用チケット片３Ｂを切り離して利用することが出来る。【００１９】  尚、上部に連続される広告用チケット片３Ｂも、別の広告用表示片３Ａとしても良いし、上下共に広告用チケット片３Ｂとしても良いものである。
また、広告用チケット片３Ｂは、それ自体、更に、横に複数ミシン目を入れて、複数分割可能に構成してもよい。
【実施例３】
【００２０】この実施例３は、図３及び図４に示すように、小型現金収納用封筒として、紙製の封筒本体１の開口部２に設けられたフラップ３の上縁３ａに、切り離し容易にミシン目４を介して連続して設けられた広告用表示片３Ａが備えられ、前記封筒本体１の要部に、郵便番号表示部５が設けられている。【００２１】  そして、前記広告用表示片３Ａの幅が前記封筒本体１の開口部２の幅よりも小さく構成され、前記フラップ３の折り曲げによる開口部２の閉じに際して前記広告用表示片３Ａが封筒内に挿入されて、収納紙幣の抜け出しを阻止できるように構成されている。
これにより、図４に示す如く、現金袋として用いる場合には、前記広告用表示片３Ａをフラップ３共々封筒内に挿入し、その広告用表示片３Ａとして大きく形成されたフラップ全体で紙幣に対する摩擦抵抗を大きくし、以って、現金の抜け出しを十分に阻止する機能を発揮するのである。
【実施例４】
【００２２】  この実施例４は、図５に示す如く、小型現金収納用封筒であって、封筒本体１の開口部２に設けられたフラップ３の上縁３ａに、前記開口部２よりも幅狭の広告用表示片３Ａが連続して設けられ、前記フラップ３の折り曲げによる開口部２の閉じに際して前記広告用表示片３Ａが封筒内に挿入されて収納紙幣の抜け出しを阻止できるように構成されている。【００２３】  ここでは、前記広告用表示片３Ａが、上記実施例の如くミシン目で切り離し容易に構成されていないが、この広告用表示片３Ａが設けられていることで、広告媒体としての機能を発揮出来ることは勿論のこと、封筒として利用する場合には、この前記広告用表示片３Ａを折り曲げてフラップ３に重ね、その後に糊付けすればよい。
従って、ここでは、広告用表示片３Ａが、フラップ３と実質的に相似形に構成されている。
しかし、この広告用表示片３Ａの大きさ、形状を特に限定しなくても考案を実施できることは、上述の主旨から明らかなところである。
【実施例５】
【００２４】  図６に示すように、ここでは、紙製（樹脂フィルム製でもよい）の封筒本体１の開口部２に設けられたフラップ３の上縁３ａに、切り離し容易にミシン目４を介して連続して設けられた広告用表示片３Ａが備えられ、前記封筒本体１の要部に、郵便番号表示部５が設けられている。この実施例では、便宜上、郵便局の広告を使用した。ここでは、広告用表示片３Ａの上縁が円弧上に形成されている。【００２５】  そして、この広告用表示片３Ａには、掲示用部３Ｃが設けられており、ここでは、上部の円弧状部に、フックに対する係止用孔３Ｄで構成されている。
この掲示用部３Ｃは、ピンで留めたり、小型磁石で留めるためのスペースであってもよい。
また、この実施例では、広告用表示片３Ａには、カレンダーが印刷されている。【００２６】  従って、前記掲示用部３Ｃを利用して、この封筒を掲示板、或いは冷蔵庫等に留め付け、封筒の機能を活用し、レシートを入れたり、メモを入れたりして利用し、或いは、そのカレンダーを利用し、また、封筒を郵便封筒として利用する場合には、この広告用表示片３Ａをミシン目４で切り離すことで、通常の郵便封筒として利用することが出来る。
尚、前記広告用表示片３Ａが、カレンダーだけではなく、例えば、商品、食事割引券等の広告用チケット片３Ｂに併用できるように構成されても良い。
【産業上の利用可能性】
【００２７】  本考案によれば、この封筒を現収納、郵便、書簡用封筒として用いることができ、且つ、広告媒体、各種のチケット等としても利用できるので、その利用範囲は極めて広いものである。
【図面の簡単な説明】
【００２８】
【図１】実施例１における封筒の正面図である。
【図２】実施例２における封筒の正面図である。
【図３】実施例３における封筒の正面図である。
【図４】実施例３における封筒の縦断側面図である。
【図５】実施例４における封筒の正面図である。
【図６】実施例５における封筒の正面図である。
【符号の説明】
【００２９】１：封筒本体
２：開口部
３：フラップ
３Ａ：広告用表示片
３Ｂ：広告用チケット片
３Ｃ：掲示用部
３ａ：上縁
４：ミシン目
５：郵便番号表示部
【図１】
0003112624.tif 000003
【図２】
0003112624.tif 000004
【図３】
0003112624.tif 000005
【図４】
0003112624.tif 000006
【図５】
0003112624.tif 000007
【図６】
0003112624.tif 000008
【手続補正書】
【提出日】平成17年4月20日(2005.4.20)
【手続補正１】
【補正対象書類名】明細書
【補正対象項目名】０００１
【補正方法】変更
【補正の内容】
【０００１】  本考案は、銀行、郵便局（登録商標）等の窓口、ＡＴＭ設置店で配布され、現金を収納するのに専ら用いられている小型現金収納用用封筒の改良に関する。
【手続補正２】
【補正対象書類名】明細書
【補正対象項目名】０００２
【補正方法】変更
【補正の内容】
【０００２】  一般に、銀行、郵便局（登録商標）等では、出勤した現金を収納するのに、小型の現金封筒が準備されており、ＡＴＭ設置店でも設置されていて、利用者は、出金した現金をこれに収納している。
【手続補正３】
【補正対象書類名】明細書
【補正対象項目名】０００９
【補正方法】変更
【補正の内容】
【０００９】  本考案によれば、銀行窓口、郵便局（登録商標）、ＡＴＭ設置所において配布の現金収納用袋を、広告、情報媒体として、或いは、商品、サービス提供、割引券等のチケットとして活用出来ながら、必要に応じて郵便等書簡用封筒として再利用することが出来る顕著な利点がある。
【手続補正４】
【補正対象書類名】明細書
【補正対象項目名】００１５
【補正方法】変更
【補正の内容】
【００１５】  本考案の実施例１について、図１に基づいて以下詳述する。
図１は、小型現金収納用封筒の正面図であって、紙製（樹脂フィルム製でもよい）の封筒本体１の開口部２に設けられたフラップ３の上縁３ａに、切り離し容易にミシン目４を介して連続して設けられた広告用表示片３Ａが備えられ、前記封筒本体１の要部に、郵便番号表示部５が設けられている。
【手続補正５】
【補正対象書類名】図面
【補正対象項目名】図１
【補正方法】変更
【補正の内容】
【図１】
0003112624.tif 000009